(57)【要約】【課題】ステージ面の途中に設けた特定口への遊技球のスムーズな通過が可能となるセンタ役物のステージ構造を提供する。【解決手段】左右方向の中央に位置する第２の特定入口４４ｂと左側に位置する第１の特定入口４４ａは、仕切り部材５４ａで仕切られている。また、第２の特定入口４４ｂと右側に位置する第３の特定入口４４ｃも、誘導面５０から立ち上がる仕切り部材５４ｂで仕切られている。一対の仕切り部材の間の手前側の領域である誘導面５０上には、転動してきた遊技球Ｂが乗りあげ可能となるように僅かに突出した一対の突起５６ａ，５６ｂが設けられている。これら一対の突起の間隔Ｔは、一対の仕切り部材の最も誘導面５０に近い部分の間の間隔Ｓより僅かに狭い間隔であり、且つ遊技球の直径より小さな寸法である。【選択図】        図４
2004229908.tif 000002
【特許請求の範囲】
【請求項１】
遊技機のセンタ役物に、遊技球が転がるステージ面を左右方向に延在して設け、このステージ面の左右方向中央の奥側に、前記遊技球を前記センタ役物の下方に設けた入賞口に誘導する特定入口を設けたステージ構造において、
複数の前記遊技球が前記特定入口に同時に入り込もうとするときに、これら複数の遊技球が、前記特定入口の前で滞留するのを防止する滞留防止部を設けたことを特徴とする遊技機におけるセンタ役物のステージ構造。
【請求項２】
前記特定入口の手前側の領域に、前記ステージ面を転がってきた前記遊技球を前記特定入口に誘導する誘導面を設け、前記滞留防止部を、前記特定入口の左右の開口縁の間の手前である前記誘導面上に互いに左右方向に離間して設けた一対の突起とし、これら一対の突起は、前記遊技球が乗りあげ可能な小さな突起であるとともに、これら一対の突起の互いの間隔を、前記左右の開口縁の間隔より僅かに狭く、且つ前記遊技球の直径より小さな寸法としたことを特徴とする請求項１記載の遊技機におけるセンタ役物のステージ構造。
【請求項３】
前記ステージ面の左右方向中央の奥側に、一個の前記遊技球が通過可能な特定入口を左右方向に３箇所並べて設け、これら特定入口のうち左右方向の中央に位置する特定入口の近傍に、前記滞留防止部を設けたことを特徴とする請求項１又は２記載のセンタ役物のステージ構造。
【発明の詳細な説明】
【０００１】
【発明の属する技術分野】
本発明は、パチンコ機等の遊技機におけるセンタ役物のステージ構造に関する。
【０００２】
【従来の技術】
パチンコ機におけるセンタ役物のステージ構造として、例えば、左右方向に平面形状で延在しているステージ面と、このステージ面の左右方向の中央において前面に向けて下方に傾斜している誘導面を設け、ワープ通路のワープ出口からステージ面の左右方向の端部側に転がってきた遊技球を、ステージ面の中央まで転動させ、さらに誘導面に案内することで、センタ役物の下方に設けた入賞口に向けて落下させる構造のものが知られている（例えば、特許文献１。）。
また、ステージ面の途中に、遊技球を入賞口に誘導する特定口を設け、この特定口に入った遊技球を優先的に入賞口に入賞させることで、抽選の機会を増やすようにしたステージ構造もある。
【０００３】
【特許文献１】
特許第３１３４９４１号（図９，図１３）
【０００４】
【発明が解決しようとする課題】
しかし、ステージ面の途中に特定口を設けると、例えば２個の遊技球が同時に特定口に入り込もうとして滞留してしまい、その後に、特定口に向けて転動してきた遊技球が、特定口に入り込むことができない場合がある。
また、特定口の手前で滞留している遊技球は、遊技店の店員により正常な状態に戻さなければならないので、店員による遊技機管理の作業負担が増大してしまうという問題もある。
【０００５】
そこで、本発明は上記事情に鑑みてなされたもので、ステージ面の途中に設けた特定口への遊技球のスムーズな通過が可能となり、遊技店の店員による遊技機管理の作業負担を低減することができるセンタ役物のステージ構造を提供することを目的としている。
【０００６】
【課題を解決するための手段】
請求項１記載の遊技機におけるセンタ役物のステージ構造は、遊技機のセンタ役物に、遊技球が転がるステージ面を左右方向に延在して設け、このステージ面の左右方向中央の奥側に、前記遊技球を前記センタ役物の下方に設けた入賞口に誘導する特定入口を設けたステージ構造において、複数の前記遊技球が前記特定入口に同時に入り込もうとするときに、これら複数の遊技球が、前記特定入口の前で滞留するのを防止する滞留防止部を設けた。
【０００７】
また、請求項２記載の発明は、請求項１記載の遊技機におけるセンタ役物のステージ構造において、前記特定入口の手前側の領域に、前記ステージ面を転がってきた前記遊技球を前記特定入口に誘導する誘導面を設け、前記滞留防止部を、前記特定入口の左右の開口縁の間の手前である前記誘導面上に互いに左右方向に離間して設けた一対の突起とし、これら一対の突起は、前記遊技球が乗りあげ可能な小さな突起であるとともに、これら一対の突起の互いの間隔を、前記左右の開口縁の間隔より僅かに狭く、且つ前記遊技球の直径より小さな寸法とした。
【０００８】
さらに、請求項３記載の発明は、請求項１又は２記載のセンタ役物のステージ構造において、前記ステージ面の左右方向中央の奥側に、一個の前記遊技球が通過可能な特定入口を左右方向に３箇所並べて設け、これら特定入口のうち左右方向の中央に位置する特定入口の近傍に、前記滞留防止部を設けた。
【０００９】
【発明の実施の形態】
以下、本発明の１実施形態について、図面を参照して説明する。
図１は、本発明に係る１実施形態のパチンコ機の一部分を構成する遊技盤２の正面図である。
遊技盤２は、外側ガイドレール４と内側ガイドレール６とによって包囲された円形状の遊技領域８を備え、遊技者の操作により、図示しない発射装置から発射された遊技球が、遊技領域８を流下しつつ転動することにより、遊技が行われる。遊技領域８には、遊技釘が多数配置されているが、図面簡素化のために省略する。
【００１０】
遊技領域８の中央部には、液晶からなる特別図柄表示装置１０が配置されている。また、特別図柄表示装置１０の下方には、特別図柄始動口１２が配置され、特別図柄始動口１２の左右両側には、普通図柄作動ゲート１４が配置されている。また、遊技領域８の下方には、変動入賞装置１６が配置されており、遊技球を入賞可能な状態とする大入賞口１８を備えている。
【００１１】
また、特別図柄表示装置１０の前面側には、センタ役物２０が配置されているとともに、他の遊技領域８に、遊技釘とともに遊技球の転動方向を変化させるランプ付き風車２２、遊技球を遊技盤２の裏面に排出するアウト口２４、ランプ表示装置２６等が配置されている。
そして、遊技球が特別図柄始動口１２に入賞すると、所定の確率に基づいて判定制御手段（図示せず）で特賞状態を生起するか否かが判定され、その判定結果に基づいて、普通図柄表示装置（図示せず）の普通図柄を変動させ、その後に所定の図柄を確定表示させる。特賞状態が生起すると、所定時間の間、変動入賞装置１６の広幅の扉が前面側に開いて、遊技球を入賞可能な状態とする。
【００１２】
また、遊技球が普通図柄作動ゲート１４を通過すると、所定の確率に基づいて、他の判定制御手段（図示せず）で準特賞状態を生起するか否かが判定され、その判定の結果に基づいて、特別図柄表示装置１０の特別図柄を変動させ、その後に所定の図柄を確定表示させる。準特賞状態が生起すると、特別図柄始動口１２の左右の可動片１２ａ，１２ａが所定時間開放し、遊技球が特別図柄始動口１２に入賞しやすくなる。
【００１３】
ここで、図２は、前述したセンタ役物２０を斜視で示した図である。
このセンタ役物２０は、遊技盤２の盤面に取付けられる本体ベース３０と、本体ベース３０の中央に設けられて特別図柄表示装置１０を保護している透明板３２と、透明板３２の下部に設けられ、正面視において左右方向に延在しているステージ面３４と、本体ベース３０に取り付けたワープ形成部材３６により形成され、内部に受け入れた遊技球をステージ面３４に向けて誘導するワープ通路３８と、遊技領域８の左側上流を流下してきた遊技球をワープ通路３８内に受け入れるワープ入口４０と、ワープ通路３８により誘導してきた遊技球をステージ面３４の左側端部の手前側からステージ面３４に放出するワープ出口４２と、ステージ面３４の左右方向中央の奥側に並んで設けた、３箇所の特定入口４４（第１、第２、第３の特定入口４４ａ，４４ｂ，４４ｃ）と、これら特定入口４４ａ，４４ｂ、４４ｃの下方に設けられ、各特定入口４４ａ，４４ｂ，４４ｃに入った遊技球を特別図柄始動口１２にそれぞれ誘導する３箇所の特定出口４６（第１、第２、第３の特定出口４６ａ，４６ｂ，４６ｃ）とを備えている。第１、第２、第３の特定入口４４ａ，４４ｂ，４４ｃは、一個の遊技球が入り込むことが可能な大きさで形成されている。
【００１４】
そして、ステージ面３４は、短尺方向の断面が凹状に湾曲し、左右方向にハーフパイプ状に連続した面形状となっているとともに、左端部側のステージ面及び右端部側のステージ面から左右方向中央のステージ面に向かうに従い徐々に低くなるように形成されている。
また、図３は、第１、第２、第３の特定入口４４ａ，４４ｂ、４４ｃの近傍を平面視で拡大して示した図であるが、これら特定入口４４ａ，４４ｂ、４４ｃの手前側における略半円形状の領域には、これら特定入口４４ａ，４４ｂ、４４ｃに向けて下り傾斜を付けた略平面形状の誘導面５０が設けられている。
【００１５】
ここで、左右方向の中央に位置する第２の特定入口４４ｂと左側に位置する第１の特定入口４４ａは、誘導面５０から立ち上がる仕切り部材５４ａで仕切られている。また、第２の特定入口４４ｂと右側に位置する第３の特定入口４４ｃも、誘導面５０から立ち上がる仕切り部材５４ｂで仕切られている。これら仕切り部材５４ａ，５４ｂの誘導面５０に対向する部分は、くさび形状として鋭角部５４ａ１，５４ｂ１を設けており、これら鋭角部５４ａ１，５４ｂ１に、遊技球が点接触で接触するようになっている。なお、くさび形状とするために仕切り部材５４ａ，５４ｂに設けた斜面は、図３では第１の特定入口４４ａ及び第３の特定入口４４ｃを向いているが、両者とも第２の特定入口４４ｂを向くように設けてもよい。
【００１６】
そして、一対の仕切り部材５４ａ，５４ｂの間の手前側の領域である誘導面５０上には、一対の突起５６ａ，５６ｂが設けられている。突起の高さが高いと、特定入口４４ａ，４４ｂ、４４ｃに向けて誘導されている遊技球が突起によって滞留するおそれがある。そこで、一対の突起５６ａ，５６ｂは、少なくともステージ面３４の最も低い位置であるステージ面３４の左右方向中央より低く、転動してきた遊技球が乗りあげ可能となるようなに僅かに突出した高さに設定されている。
【００１７】
図３及び図４に示すように、一対の突起５６ａ，５６ｂの間隔Ｔは、一対の仕切り部材５４ａ，５４ｂの最も誘導面５０に近い鋭角部５４ａ１，５４ｂ１の間の間隔をＳとすると、この間隔Ｓより僅かに狭い間隔（Ｔ＜Ｓ）であり、遊技球の直径Ｄより小さな寸法としている。より具体的には、遊技球の直径Ｄが１１ｍｍであると、一対の突起５６ａ，５６ｂの間隔Ｔを１０．８ｍｍに設定している。
【００１８】
次に、２個の遊技球が第２の特定入口４４ｂに同時に入り込もうとしている状態について、図５、図６を参照して説明する。
図５によると、ステージ面３４から誘導面５０に転動してきた２個の遊技球Ｂ１，Ｂ２は、第２の特定入口４４ｂに向けて転動して同時に入り込もうとする。このとき、２個の遊技球Ｂ１，Ｂ２は、それぞれ一対の突起５６ａ，５６ｂに乗りあげながら、一対の仕切り部材５４ａ，５４ｂの最も誘導面５０に近い鋭角部５４ａ１，５４ｂ１に点接触で接触した状態で僅かの間静止する。
【００１９】
ここで、一対の突起５６ａ，５６ｂの間隔Ｔは、一対の仕切り部材５４ａ，５４ｂの間隔Ｓより僅かに狭く、遊技球Ｂの直径Ｄより小さな寸法なので、図５では、右側の遊技球Ｂ１の重心Ｇ１が、右側の突起５６ｂよりも第２の特定入口４４ｂの中心に寄った位置となり、左側の遊技球Ｂ２の重心Ｇ２が、左側の突起５６ａよりも第１の特定入口４４ａの中心に寄った位置となる。このような状態であると、右側の遊技球Ｂ１が左側の遊技球Ｂ２を左側に押しながら転動していき、左側の遊技球Ｂ２は第１の特定入口４４ａに入り込み、右側の遊技球Ｂ２は第２の特定入口４４ｂに入り込む。
【００２０】
このように、第２の特定入口４４ｂに同時に入り込もうとした２個の遊技球Ｂ１，Ｂ２は、僅かの間静止するが、一対の突起５６ａ，５６ｂに乗りあがって重心バランスが崩れることで両者Ｂ１，Ｂ２はすぐに転動していき、一方の遊技球Ｂ１は第２の特定入口４４ｂに入り込み、他方の遊技球Ｂ２は、第１の特定入口４４ａに入り込んでいく。そして、第１，第２の特定入口４４ａ，４４ｂに入り込んだ遊技球Ｂ１，Ｂ２は、第１、第２の特定出口４６ａ，４６ｂから出て特別図柄始動口１２に向けて落下していく。
【００２１】
また、図６では、一対の突起５６ａ，５６ｂに乗りあげた２個の遊技球Ｂ１，Ｂ２が第２の特定入口４４ｂに同時に入り込もうとしているとともに、右側の遊技球Ｂ１の重心Ｇ１が、右側の突起５６ｂよりも第３の特定入口４４ｃの中心に寄った位置となり、左側の遊技球Ｂ２の重心Ｇ２が、左側の突起５６ａよりも第１の特定入口４４ａの中心に寄った位置となっている。このような状態であると、右側の遊技球Ｂ１が右側に転動していくことで第３の特定入口４４ｃに入り込み、左側の遊技球Ｂ２が左側に転動していくことで第１の特定入口４４ａにに入り込んでいく。このように、図６の状態も、第２の特定入口４４ｂに同時に入り込もうとした２個の遊技球Ｂ１，Ｂ２は僅かの間静止するが、一対の突起５６ａ，５６ｂに乗りあがって重心バランスが崩れることですぐに転動していき、一方の遊技球Ｂ１は第３の特定入口４４ｃに入り込み、他方の遊技球Ｂ２は、第１の特定入口４４ａに入り込んでいく。
【００２２】
したがって、本実施形態によると、一対の仕切り部材５４ａ，５４ｂの間の手前側の誘導面５０上に一対の突起５６ａ，５６ｂを設け、これら一対の突起５６ａ，５６ｂの間隔Ｔを、一対の仕切り部材５４ａ，５４ｂの最も誘導面５０に近い鋭角部５４ａ１，５４ｂ１の間の間隔Ｓより僅かに狭い間隔（Ｔ＜Ｓ）とし、しかも、遊技球Ｂの直径Ｄより小さな寸法となるように設定したことから、２個の遊技球Ｂ１，Ｂ２が同時に第２の特定口４４ｂに入り込もうとしてもその状態をすぐに解除し、第１、第２、第３の特定口４４ａ，４４ｂ，４４ｂの何れかに向けて各遊技球Ｂ１，Ｂ２をスムーズに誘導することができる。
そして、第２の特定口４４ｂ近傍の遊技球Ｂ１，Ｂ２の滞留を解消することができるので、遊技店の店員による遊技機管理の作業負担を大幅に低減することができる。
【００２３】
【発明の効果】
本発明の遊技機におけるセンタ役物のステージ構造によると、ステージ面の途中に設けた特定入口に２個の遊技球が同時に入り込もうとして滞留しても、その状態を滞留防止部によって直ぐに解除し、特定入口への遊技球のスムーズな通過を可能とすることができるとともに、遊技店の店員による遊技機管理の作業負担を大幅に低減することができる。
【図面の簡単な説明】
【図１】本発明に係るパチンコ機の遊技盤を示す正面図である。
【図２】本発明に係るセンタ役物を示す斜視図である。
【図３】本発明に係るセンタ役物の特定入口とその手間に設けた誘導面を示す平面図である。
【図４】図３のＩＶ−ＩＶ線矢視図である。
【図５】２個の遊技球が同時に特定入口に入り込もうとしたときの本発明の第１のパターンを説明する図である。
【図６】２個の遊技球が同時に特定入口に入り込もうとしたときの本発明の第２のパターンを説明する図である。
【符号の説明】
１２  特別図柄始動口（入賞口）
２０  センタ役物
３４  ステージ面
４４ａ  第１の特定入口
４４ｂ  第２の特定入口（特定入口）
４４ｃ  第３の特定入口
５０  誘導面
５４ａ，５４ｂ  仕切り部材
５６ａ，５６ｂ  突起（滞留防止部）
Ｂ１，Ｂ２  遊技球
【図１】
2004229908.tif 000003
【図２】
2004229908.tif 000004
【図３】
2004229908.tif 000005
【図４】
2004229908.tif 000006
【図５】
2004229908.tif 000007
【図６】
2004229908.tif 000008